(57)【要約】【課題】セキュリティを保ちつつ、楽譜データなどの音楽コンテンツを容易に取得する。【解決手段】この音楽コンテンツ表示装置は、電子音楽装置の曲データ再生に従属して楽譜データを表示するが、当初は、電子音楽装置に予め用意されたｐ個の音楽コンテンツ（曲データ）よりも少ないｒ個の音楽コンテンツ（楽譜データ）しか用意されていない。電子音楽装置から音声信号Ａｓを受信し（７）、信号Ａｓに含まれる制御信号（譜めくり信号）Ｃｓの受信を確認すると（ＤＭ，ＤＣ）、電子音楽装置に用意された音楽コンテンツ（曲データ）に対応するがこの表示装置には用意されていない「ｐ−ｒ」個の追加の音楽コンテンツ（楽譜データ）をサーバＳＶから取得し音楽コンテンツ格納部ＳＴｄに追加する（ＡＤ）。制御信号Ｃｓから抽出した曲ＩＤ情報Ｓｉに対応する音楽コンテンツ（楽譜データ）を格納部ＳＴｄから読み出し小節番号Ｂｎに応じて楽譜を表示する（ＣＴｄ）。【選択図】図４
2015172776.tif 000002
【特許請求の範囲】
【請求項１】
電子音楽装置で利用される再生用曲データに対応して作成された曲の進行に対応して画像が切り換えられていく表示用曲対応データを音楽コンテンツとして記憶するコンテンツ記憶手段と、
音楽コンテンツを表示するコンテンツ表示手段と、
従属対象とされた電子音楽装置から発信された信号を受信する信号受信手段と、
信号受信手段が、コンテンツ記憶手段に記憶されている音楽コンテンツを特定するコンテンツ特定情報を含む制御信号を受信したときに、電子音楽装置に予め用意されている再生用曲データに対応する表示用曲対応データであって、コンテンツ記憶手段に記憶されていない音楽コンテンツを追加の音楽コンテンツとしてサーバから取得することを許可する取得許可手段と、
取得許可手段により取得が許可された追加の音楽コンテンツをサーバから取得し、コンテンツ記憶手段に追加的に記憶するコンテンツ追加手段と、
信号受信手段によって、コンテンツ記憶手段に記憶されている音楽コンテンツを特定するコンテンツ特定情報を含む制御信号が受信された場合、該コンテンツ特定情報で特定される音楽コンテンツに関して、コンテンツ記憶手段からの読出しを含む制御を行うコンテンツ制御手段と
を具備することを特徴とする音楽コンテンツ表示装置。
【請求項２】
電子音楽装置で利用される再生用曲データに対応して作成された曲の進行に対応して画像が切り換えられていく表示用曲対応データを音楽コンテンツとして記憶するコンテンツ記憶手段、及び、音楽コンテンツを表示するコンテンツ表示手段を具備し、音楽コンテンツ表示装置として機能するコンピュータに、
従属対象とされた電子音楽装置から発信された信号を受信する信号受信ステップと、
信号受信ステップが、コンテンツ記憶手段に記憶されている音楽コンテンツを特定するコンテンツ特定情報を含む制御信号を受信したときに、電子音楽装置に予め用意されている再生用曲データに対応する表示用曲対応データであって、コンテンツ記憶手段に記憶されていない音楽コンテンツを追加の音楽コンテンツとしてサーバから取得することを許可する取得許可ステップと、
取得許可ステップで取得が許可された追加の音楽コンテンツをサーバから取得し、コンテンツ記憶手段に追加的に記憶するコンテンツ追加ステップと、
信号受信ステップで、コンテンツ記憶手段に記憶されている音楽コンテンツを特定するコンテンツ特定情報を含む制御信号が受信された場合、該コンテンツ特定情報で特定される音楽コンテンツに関して、コンテンツ記憶手段からの読出しを含む制御を行うコンテンツ制御ステップと
から成る手順を実行させる音楽コンテンツ表示プログラム。
【請求項３】
前記取得許可ステップでは、当該制御信号が、音楽コンテンツ表示装置と電子音楽装置が通信可能な状態であることを確認することができる所定の条件で受信された場合に、追加の音楽コンテンツをサーバから取得することを許可する
請求項２に記載の音楽コンテンツ表示プログラム。
【発明の詳細な説明】
【技術分野】
【０００１】
この発明は、楽譜データ等の音楽コンテンツを音楽コンテンツ表示装置に表示する音楽コンテンツ表示システムに関する。
【背景技術】
【０００２】
従来より、楽譜データ等の音楽コンテンツを表示装置に表示するものが知られている。例えば、特許文献１の電子楽器は、表示装置や外部記憶装置、通信インターフェイス（Ｉ／Ｆ）等を備え、ユーザの選択操作により指定された曲の楽譜データを曲の進行に従って表示装置の画面に表示することができる。ここで、楽譜データに使用される楽譜画像データは、対応する曲の演奏データから生成したり、対応する曲の楽譜論理データを記憶装置から読み出して楽譜論理データに基づいて生成したり、対応する曲の楽譜画像データそのものを記憶装置から読み出したりする（段落[0041]）。
【０００３】
従来技術では、表示に使用される楽譜データ（音楽コンテンツ）は、このように電子楽器（電子音楽装置）内に予め記憶されたものになるか、さもなければ、ユーザが通信Ｉ／Ｆを利用してサーバよりダウンロードすることになり、表示したい楽譜データを初期状態より増やしたい場合は、サーバからのダウンロードするための幾つかのユーザ操作が必要になる。さらに、ユーザが他の記憶媒体などから楽譜データを取得して記憶する場合もあるが、このような楽譜データは、記憶される電子楽器の能力に対応したものでない可能性がある。
【先行技術文献】
【特許文献】
【０００４】
【特許文献１】特開２００７−２４９０３３号公報
【発明の概要】
【発明が解決しようとする課題】
【０００５】
この発明は、このような事情に鑑み、セキュリティを保ちつつ、音楽コンテンツ表示装置に表示される楽譜データ等の表示用の音楽コンテンツを容易に取得することができ、そのためのユーザ操作の負担を軽減することができる音楽コンテンツ表示システムを提供することを目的とし、さらに、ユーザが正規に所持する電子音楽装置に内蔵される曲データ等の音楽コンテンツに対応する表示用の音楽コンテンツを自動的に取得することができる音楽コンテンツ表示システムを提供することを目的とする。
【課題を解決するための手段】
【０００６】
上記目的を達成するために、本発明の音楽コンテンツ表示装置は、電子音楽装置で利用される再生用曲データに対応して作成された曲の進行に対応して画像が切り換えられていく表示用曲対応データを音楽コンテンツとして記憶するコンテンツ記憶手段と、音楽コンテンツを表示するコンテンツ表示手段と、従属対象とされた電子音楽装置から発信された信号を受信する信号受信手段と、信号受信手段が、コンテンツ記憶手段に記憶されている音楽コンテンツを特定するコンテンツ特定情報を含む制御信号を受信したときに、電子音楽装置に予め用意されている再生用曲データに対応する表示用曲対応データであって、コンテンツ記憶手段に記憶されていない音楽コンテンツを追加の音楽コンテンツとしてサーバから取得することを許可する取得許可手段と、取得許可手段により取得が許可された追加の音楽コンテンツをサーバから取得し、コンテンツ記憶手段に追加的に記憶するコンテンツ追加手段と、信号受信手段によって、コンテンツ記憶手段に記憶されている音楽コンテンツを特定するコンテンツ特定情報を含む制御信号が受信された場合、該コンテンツ特定情報で特定される音楽コンテンツに関して、コンテンツ記憶手段からの読出しを含む制御を行うコンテンツ制御手段とを具備することを最も主要な特徴としている。
【０００７】
また、本発明の音楽コンテンツ表示プログラムは、電子音楽装置で利用される再生用曲データに対応して作成された曲の進行に対応して画像が切り換えられていく表示用曲対応データを音楽コンテンツとして記憶するコンテンツ記憶手段、及び、音楽コンテンツを表示するコンテンツ表示手段を具備し、音楽コンテンツ表示装置として機能するコンピュータに、従属対象とされた電子音楽装置から発信された信号を受信する信号受信ステップと、信号受信ステップが、コンテンツ記憶手段に記憶されている音楽コンテンツを特定するコンテンツ特定情報を含む制御信号を受信したときに、電子音楽装置に予め用意されている再生用曲データに対応する表示用曲対応データであって、コンテンツ記憶手段に記憶されていない音楽コンテンツを追加の音楽コンテンツとしてサーバから取得することを許可する取得許可ステップと、取得許可ステップで取得が許可された追加の音楽コンテンツをサーバから取得し、コンテンツ記憶手段に追加的に記憶するコンテンツ追加ステップと、信号受信ステップで、コンテンツ記憶手段に記憶されている音楽コンテンツを特定するコンテンツ特定情報を含む制御信号が受信された場合、該コンテンツ特定情報で特定される音楽コンテンツに関して、コンテンツ記憶手段からの読出しを含む制御を行うコンテンツ制御ステップとから成る手順を実行させることを最も主要な特徴としている。
【０００８】
この発明による音楽コンテンツ表示プログラムにおいて、前記取得許可ステップでは、当該制御信号が、音楽コンテンツ表示装置と電子音楽装置が通信可能な状態であることを確認することができる所定の条件で受信された場合に、追加の音楽コンテンツをサーバから取得することを許可するように構成することができる。
【発明の効果】
【０００９】
この発明の主たる特徴による音楽コンテンツ表示システムでは、音楽コンテンツ表示装置は、所定の電子音楽装置に従属しており、電子音楽装置で利用される再生用曲データに対応して作成された曲の進行に対応して画像が切り換えられていく表示用曲対応データを音楽コンテンツとして記憶するコンテンツ記憶手段を備える。この音楽コンテンツ表示装置が従属する対象である特定の電子音楽装置から発信された信号を受信すると、受信された信号が所定の条件を満たすものであるかどうかを判断する。所定の条件とは、例えば、所定の種類の信号を初めて受信した、合計して乃至連続して１０回目の受信である、或いは、合計した乃至連続した信号受信の間隔が１秒以内である、などである。このような所定の条件を満たす信号は従属対象の電子音楽装置から発信することができる。この信号判断の結果、所定の条件を満たす信号であった場合は、電子音楽装置に予め用意されている再生用曲データに対応する表示用曲対応データであって、コンテンツ記憶手段に記憶されていない音楽コンテンツを、コンテンツ記憶手段に追加的に記憶されるべき追加の音楽コンテンツとしてサーバからの取得を許可する。次いで、取得が許可された追加の音楽コンテンツ（表示用曲対応データ）をサーバから取得し、コンテンツ記憶手段に追加して記憶する。そして、コンテンツ記憶手段に記憶されている音楽コンテンツを読み出して表示する。
【００１０】
つまり、この発明では、音楽コンテンツ表示装置は、信号判断により、従属対象の電子音楽装置と通信可能状態であることを自動的に認識することができたときに、当該電子音楽装置に対応する追加の音楽コンテンツ（表示用曲対応データ）をサーバからダウンロードする。また、同じ曲について、電子音楽装置側には、例えば、再生に係わる音楽コンテンツ（オーディオデータやＭＩＤＩデータなどの再生用曲データ）が記憶されているのに対し、音楽コンテンツ表示装置側には、表示に係わる音楽コンテンツ（楽譜データや曲ガイド用イラストデータなどの表示用曲対応データ）が記憶され、ダウンロードの結果、音楽コンテンツ（表示用曲対応データ）が記憶されるのは音楽コンテンツ表示装置側である。
【００１１】
従って、この発明によれば、音楽コンテンツ表示装置に表示される楽譜データ等の音楽コンテンツを容易に取得することができ、ユーザの操作の負担を軽減することができる。また、電子音楽装置と音楽コンテンツ表示装置それぞれについて関係する音楽コンテンツのみを記憶することができ、無駄がなく効率的であり、楽譜データ等の音楽コンテンツのダウンロードは、対応する電子音楽装置側の音楽コンテンツ記憶装置には影響しない。さらに、音楽コンテンツ表示装置がダウンロードした楽譜データ等の音楽コンテンツは、必ず、従属対象の電子音楽装置に対応したものになり、セキュリティを保ちつつ、ユーザが正規に所持する電子音楽装置に内蔵される曲データ等の音楽コンテンツに対応する表示用の音楽コンテンツを自動的に取得することができる。
【００１２】
この発明による音楽コンテンツ表示システムによれば、音楽コンテンツ表示装置と所定の電子音楽装置を接続することなく、それぞれ、電源を入れて近くにおくだけで、必要な音楽コンテンツを追加することができる。
【図面の簡単な説明】
【００１３】
【図１】この発明の一実施例による音楽コンテンツ表示システムの構成例を示す。
【図２】この発明の一実施例における電子音楽装置の機能ブロック図である。
【図３】この発明の一実施例における制御信号のフォーマット例を示す。
【図４】この発明の一実施例における音楽コンテンツ表示装置の第１機能を表わすブロック図である。
【図５】この発明の一実施例における音楽コンテンツ表示装置の第２機能を表わすブロック図である。
【図６】この発明の一実施例における表示画面の構成例を示す。
【図７】この発明の一実施例による音楽コンテンツ表示処理のフローチャートの一部を示す。
【図８】この発明の一実施例による音楽コンテンツ表示処理のフローチャートの他部を示す。
【図９】この発明の一実施例による音楽コンテンツ追加処理のフローチャートを示す。
【図１０】この発明の一実施例による音楽コンテンツ読出し表示処理のフローチャート例を示す。
【図１１】この発明の一実施例による目次からの表示処理のフローチャートを示す。
【発明を実施するための形態】
【００１４】
〔システム構成及びハードウエア構成の例〕
図１は、この発明の一実施例による音楽コンテンツ表示システムの構成例を示す。この発明の一実施例による音楽コンテンツ表示システムは、音楽コンテンツ表示装置ＤＳと、音楽コンテンツ表示装置ＤＳが従属する所定の電子音楽装置ＥＭとから成り、好ましくは、音楽コンテンツ表示装置ＤＳにはタブレット（タッチパネル）型のモバイル情報処理装置が用いられ、電子音楽装置ＥＭには電子楽器が用いられる。この音楽コンテンツ表示装置ＤＳは、ハードウエア構成として、中央処理装置（ＣＰＵ）１、ランダムアクセスメモリ（ＲＡＭ）２、読出専用メモリ（ＲＯＭ）３、記憶装置４、入力操作部５、表示部６、音声入力部７、通信インターフェース（通信Ｉ／Ｆ）８などの要素を備え、これら要素１〜８はバス９を介して互いに接続される。
【００１５】
音楽コンテンツ表示装置ＤＳ全体を制御するＣＰＵ１は、音楽コンテンツ表示処理プログラムを含む各種制御プログラムに従って各種処理を実行するデータ処理部を構成し、各種制御プログラムに従い種々の処理を実行する。ＲＡＭ２は、これらの処理に際して必要な各種データを記憶しておいたり一時的に保持するのに用いられ、例えば、音楽コンテンツ表示プログラムに基づく音楽コンテンツ表示処理の際は、譜めくり信号の受信回数（譜めくり信号受信カウントという）をカウントする譜めくり信号の受信カウンタが設けられる。また、ＲＯＭ３には、所定の制御プログラムや制御用データが記憶されている。
【００１６】
記憶装置４は、フラッシュメモリ等の記憶媒体とその駆動装置を含み、制御プログラムや種々のデータを任意の記憶媒体に記憶することができる。記憶媒体は、着脱可能であってもよいし、この音楽コンテンツ表示装置ＤＳに内蔵されていてもよい。また、記憶装置４には、音楽コンテンツ表示プログラムなどのアプリケーションを楽譜データなどの音楽コンテンツと共に記憶しておくことができ、特に、楽譜データなどの音楽コンテンツを記憶するために音楽コンテンツ格納部（ＳＴｄ）が設けられる。
【００１７】
入力操作部（設定操作部ともいう）５は、スイッチ等の設定操作子による設定操作を検出し、対応する各種設定情報をデータ処理部に導入する。表示部６は、ＬＣＤ等のディスプレイ（表示器）の表示内容をＣＰＵ１からの指令に従って制御し、各種設定操作に対する表示援助を行う。なお、以下の説明では、タッチパネルを使用して設定操作子及び表示器の機能が一体化されたものとする。音声入力部７は、マイクロフォン（以下マイクという）及び音声信号入力部を備え、電子音楽装置ＥＭからマイクを通じて入力される音声信号を音声信号入力部を通じてデータ処理部に導入することができる。
【００１８】
通信Ｉ／Ｆ８は、ＭＩＤＩ等の音楽用有線Ｉ／Ｆ、ＵＳＢ等の汎用ネットワークＩ／Ｆ或いは無線Ｌａｎ等の汎用近距離無線Ｉ／Ｆ等を含み、ネットワークＣＮを通じてサーバＳＶと交信することができる。例えば、サーバＳＶから楽譜データや曲ガイド用イラストデータ等の音楽コンテンツを取得し、記憶装置４に記憶しておくことができる。
【００１９】
音楽コンテンツ表示装置ＤＳに対して音声信号を発信する電子音楽装置ＥＭのハードウエアも、音楽コンテンツ表示装置ＤＳと同様の要素で構成されるが（但し、音声入力部は無くてもよい）、さらに、鍵盤などの演奏操作子による演奏操作を検出する演奏操作部１１、楽音信号や制御信号を含む音声信号を生成する音声信号生成部１２、生成された音声信号をスピーカから音波で出力する音声出力部１３などを備える。
【００２０】
〔電子音楽装置ＥＭの機能〕
この発明の一実施例による音楽コンテンツ表示システムにおいて、電子音楽装置は、上述のように電子楽器の機能を備えると共に、音楽コンテンツ表示装置に音声信号を発信して所要の音楽コンテンツ（楽譜データや曲ガイド用イラストデータ等の表示用曲対応データ）を用意させたり表示させる機能を備えている。図２は、この発明の一実施例における電子音楽装置の機能ブロック図である。この電子音楽装置ＥＭの記憶装置には音楽コンテンツ格納部ＳＴｅが構築されており、音楽コンテンツ格納部ＳＴｅには、予め、ＭＩＤＩデータやオーディオデータ等の再生用音楽データ（曲データ）が利用可能な音楽コンテンツとして多数格納されている。各音楽コンテンツには、実体データとなる曲データＭｄの外に、曲名や演奏者名などの曲情報及び曲ＩＤ情報Ｓｉが含まれている。曲ＩＤ情報Ｓｉは、当該音楽コンテンツを特定する特有の情報であり、曲ＩＤ、ＩＤ情報或いは曲番号とも呼ばれ、音楽コンテンツ表示装置ＤＳにおいて、表示に利用される音楽コンテンツ（表示用曲対応データ）を特定するための「音楽コンテンツ特定情報」としても機能する。
【００２１】
なお、この音楽コンテンツ（表示用曲対応データ）は曲ＩＤ情報Ｓｉを付属情報として持っていてもよいし、各種音楽コンテンツ（表示用曲対応データ）と曲ＩＤ情報Ｓｉとの対応テーブル或いはプログラムを音楽コンテンツ表示装置ＤＳ内に持っていてもよい。また、電子音楽装置ＥＭ内で、曲ＩＤ情報Ｓｉを予めテーブル等で音楽コンテンツ表示装置ＤＳにおけるコンテンツ識別情報に変換しておき、変換されたコンテンツ識別情報から音楽コンテンツ（表示用曲対応データ）を直接特定することができるようにしてもよい。
【００２２】
この電子音楽装置ＥＭは、機能ブロックとして、上述した音楽コンテンツ格納部ＳＴｅの外に、設定操作部ＳＮ、制御部ＣＴｅ、再生部ＲＰ及び重畳部ＳＰを備え、設定操作部ＳＮは、曲選択スイッチや曲再生スイッチ、制御信号出力のオン／オフを切り替える制御ボタン等のスイッチを有し、これらスイッチの操作による曲の選択や再生の指示、制御信号出力のオン／オフなどの設定操作を検出して制御部ＣＴｅに入力する。制御部ＣＴｅは、主としてＣＰＵにより実現される機能ブロックであり、曲データ取得部ＭＡ及び曲ＩＤ取得部ＳＡを備える。曲データ取得部ＭＡは、設定操作部ＳＮで検出された曲選択操作により指示される曲に対応した音楽コンテンツを読み出し、読み出した音楽コンテンツ中の曲データ（ＭＩＤＩデータやオーディオデータ等）Ｍｄを再生部ＲＰに出力する。また、曲ＩＤ取得部ＳＡは、読み出された音楽コンテンツから曲ＩＤ情報Ｓｉを取得し、取得した曲ＩＤ情報Ｓｉを重畳部ＳＰに出力する。
【００２３】
再生部ＲＰ及び重畳部ＳＰは、主として音声信号生成部１２により実現される機能ブロックである。再生部ＲＰは、設定操作部ＳＮの曲再生スイッチがオンされていると、制御部ＣＴｅの曲データ取得部ＭＡからの曲データＭｄを再生して楽音信号を生成し、演奏操作部１１からの演奏操作があると、演奏操作に基づく演奏データＰｄを再生して楽音信号を生成することができ、生成された楽音信号Ｒｓは重畳部ＳＰに出力される。この楽音生成については、曲データの再生に合わせて演奏操作部１１で演奏する（曲データＭｄ及び演奏データＰｄを再生する）場合、曲データＭｄのみを再生する場合、曲データＭｄを再生しないで演奏操作部１１で演奏する（演奏データＰｄのみを再生する）場合などがある。また、再生部ＲＰでは、曲データＭｄを再生している場合には、現在再生中の曲進行上の位置を表わす位置情報Ｂｎが生成され、重畳部ＳＰに出力される。位置情報Ｂｎには、例えば、現在再生されている楽音が位置する小節の番号を表わす小節番号（小節位置ともいう）や、再生される曲データＭｄに対応する楽譜が複数ページにわたって表示される場合において、現在再生されている楽音が位置するページの番号を表わすページ番号（ページ位置ともいう）など、楽譜上の任意の範囲を用いることができるが、以下の例では小節番号が用いられる。
【００２４】
なお、位置情報Ｂｎについては、破線で示すように、曲データＭｄを再生部Ｒｐで読み出す際に、制御部ＣＴｅで直接生成し或いは曲データＭｄから取得して、重畳部ＳＰに出力するようにしてもよい。例えば、曲データＭｄにマスタートラック情報的なタイミングデータがある場合、曲データＭｄの読出しに同期して、このタイミングデータをそのまま位置情報Ｂｎとして読み出せばよい。
【００２５】
重畳部ＳＰは制御データ生成部ＳＰ１及び信号重畳部ＳＰ２から成り、制御データ生成部ＳＰ１は、設定操作部ＳＮの譜めくり制御ボタンがオンされると能動化し、制御部ＣＴｅからの曲ＩＤ情報Ｓｉ及び再生部ＲＰからの位置情報Ｂｎに基づいて、「譜めくり信号」と呼ばれる制御信号Ｃｓを所定の時間間隔で（例えば、０．５秒毎に）生成する。また、制御ボタンがオフされると、重畳部ＳＰは動作を停止し、制御信号（「譜めくり信号」）Ｃｓは生成されない。但し、他の種類の制御信号（例えば、テンポ情報など）は生成することがあるかも知れない。
【００２６】
制御信号Ｃｓは、図３に示すように、実体データとして曲ＩＤ情報Ｓｉ及び位置情報（小節番号）Ｂｎを含む制御データ（「譜めくり信号情報」と呼ばれる）Ｃｄを有し、制御データＣｄにより音楽コンテンツ表示装置ＤＳにおける音楽コンテンツの表示を制御することができる。制御信号Ｃｓは、図３のフォーマット例では、ヘッダー情報Ｈｄ（１byte程度）、制御データＣｄ（２byte程度）及びフッター情報Ｆｔ（１byte程度）で構成され、ヘッダー情報Ｈｄは、この信号が制御信号（「譜めくり信号」）Ｃｓであることを示す情報や制御データＣｄの長さが識別できる情報などを含み、制御データＣｄは曲ＩＤ情報Ｓｉ（８ bit程度）及び位置情報Ｂｎ（８ bit程度）から成り、フッター情報Ｆｔは、制御データＣｄの終りを示す情報などを含む。
【００２７】
信号重畳部ＳＰ２は、制御データ生成部ＳＰ１からの制御信号Ｃｓを変調して再生部ＲＰからの楽音信号に重畳し、楽音信号に制御信号Ｃｓの変調成分が重畳された音声信号Ａｓを音声出力部１３に出力し、音声出力部１３はスピーカを通じてこの音声信号Ａｓを放音する。これにより、制御信号Ｃｓは、１８ｋＨｚほどの高い周波数帯域で送信される。なお、制御信号Ｃｓを送信する周波数帯域については、この周波数帯域に限らず、人に通常聴こえないような帯域であればよい。なお、制御信号Ｃｓを含まない音声信号Ａｓ（例えば、通常の演奏音など）が出力されることもある。
【００２８】
〔音楽コンテンツ表示装置の機能〕
この発明の一実施例による音楽コンテンツ表示システムにおいて、音楽コンテンツ表示装置は、電子音楽装置からの制御信号を受信して所要の音楽コンテンツ（表示用曲対応データ）を用意したり表示する機能を備えている。図４及び図５は、この発明の一実施例における音楽コンテンツ表示装置の第１及び第２機能を表わすブロック図である。
【００２９】
この音楽コンテンツ表示装置ＤＳの記憶装置４に構築された音楽コンテンツ格納部ＳＴｄには、音楽コンテンツとして表示用曲対応データが格納される。このような音楽コンテンツには、電子音楽装置ＥＭで利用される音楽コンテンツ（再生用曲データ）に対応して作成された楽譜データや曲ガイド用イラストデータ（曲の進行に対応してガイド用のイラストが紙芝居的に切り替えられるように作成されたもの）等、曲の進行に対応して画像が切り替えられていくような任意の表示用曲対応データを用いることができるが、以下の例では、楽譜データを用いる場合について説明する。
【００３０】
各音楽コンテンツ（楽譜データ）には、実体データとなる楽譜データの外に、曲名や作曲者名などの曲情報及び当該音楽コンテンツに特有のコンテンツ（楽譜）識別情報が含まれており、コンテンツ識別情報は、電子音楽装置ＥＭからの制御信号に含まれる曲ＩＤ情報（音楽コンテンツ特定情報）Ｓｉに対応付けられている。また、音楽コンテンツ格納部ＳＴｄに予め格納された利用可能な音楽コンテンツ（楽譜データ）は、電子音楽装置ＥＭに予め用意された利用可能な音楽コンテンツ（曲データ）のうち一部の音楽コンテンツ（曲データ）に対応したものである。なお、音楽コンテンツ格納部ＳＴｄには、例えば、格納された各音楽コンテンツ（楽譜データ）について、曲名（曲目）、コンテンツ識別情報、対応する曲ＩＤ（Ｓｉ）〔別に対応テーブルやプログラムが用意されている場合は不要〕及び利用可能性（利用可能／不可能）のレコードが格納情報として記憶されており、目次ボタンを操作すると、格納情報を参照して、そのときに格納されている利用可能な音楽コンテンツ（楽譜データ）の曲名（曲ＩＤを付けてもよい）を曲名（曲目）リストで一覧表示することができる。
【００３１】
また、音楽コンテンツ表示装置ＤＳは、復調部ＤＭ、判断部ＤＣ、情報抽出部ＥＸ及び表示制御部ＣＴｄを備え、これらの機能ブロックは主としてＣＰＵ１により実現される。音声入力部７は、電子音楽装置ＥＭのスピーカから発信された音声信号Ａｓをマイクを通じて受信し、受信した音声信号Ａｓを復調部ＤＭに入力する。復調部ＤＭは、入力された音声信号Ａｓから変調成分を取り出して制御信号Ｃｓに復調し、復調した制御信号Ｃｓを情報抽出部ＥＸ及び判断部ＤＣに出力する。但し、制御信号Ｃｓが含まれない場合もあり、その場合は復調部ＤＭからの出力はない。制御信号Ｃｓは、前述したように、「譜めくり信号」と呼ばれ、電子音楽装置ＥＭで譜めくり制御ボタンをオンすることにより、常時（０．５秒に一度）１８ｋＨｚほどの高い周波数帯域で送信されてくるディジタル信号であり、楽譜をめくるように楽譜表示を自動的に切り替えるのに用いられる。
【００３２】
情報抽出部ＥＸは、復調部ＤＭで復調された制御信号Ｃｓから制御データＣｄ即ち曲ＩＤ情報Ｓｉ及び位置情報（小節番号）Ｂｎを抽出し、表示制御部ＣＴｄに出力する。表示制御部ＣＴｄは、曲ＩＤ情報Ｓｉに対応付けられた楽譜識別情報を参照することにより、曲ＩＤ情報Ｓｉに対応する音楽コンテンツ（楽譜データ）を特定し、特定した音楽コンテンツ（楽譜データ）を音楽コンテンツ格納部ＳＴｄから読み出すと共に、位置情報（小節番号）Ｂｎに対応して表示すべき当該音楽コンテンツ（楽譜データ）の楽譜ページを決定し、決定された楽譜ページのデータを表示部６に送る。そして、表示部６は、表示制御部ＣＴｄから送られて来るデータが示す楽譜ページをディスプレイに表示する。
【００３３】
なお、情報抽出部ＥＸの機能を復調部ＤＭの機能に含め、復調部ＤＭ内で制御信号Ｃｓから曲ＩＤ情報Ｓｉ及び位置情報Ｂｎを抽出するようにしてもよいし、或いは、情報抽出部ＥＸの機能を表示制御部ＣＴｄの機能に含め、表示制御部ＣＴｄ内で制御信号Ｃｓから曲ＩＤ情報Ｓｉ及び位置情報Ｂｎを抽出するようにしてもよい
【００３４】
図６は、この発明の一実施例における表示画面の構成例を示し、この表示画面ＳＣは、タッチパネルで構成される。表示画面ＳＣの表示機能については、画面上部に位置する帯状のタイトルバー表示域には曲名（曲目）などが表示され、タイトルバー表示域の右端近傍にヘルプボタンｈｐが表示される。画面中央の主表示領域は、楽譜データに基づく所要の楽譜が表示される楽譜表示領域に割り当てられる。また、画面下部には、楽譜表示領域に現在表示されている楽譜のページ番号ｐｇ（図６では「１０」ページ）が中央に表示され、その左端近傍に目次ボタンｔａが表示され、右端近傍に譜めくり信号ランプｓｔが表示される。譜めくり信号ランプｓｔは、制御信号（譜めくり信号）Ｃｓを受信する度に点灯して当該制御信号（譜めくり信号）Ｃｓの受信状況を示す。また、操作機能については、ヘルプボタンｈｐをタッチ操作すると、ヘルプやバージョン情報などが主表示領域の一部又は全部に表示され、目次ボタンｔａをタッチ操作すると、音楽コンテンツ格納部ＳＴｄに格納されている利用可能な音楽コンテンツ（楽譜データ）の目次〔曲名（曲目）リスト〕が主表示領域に表示される。
【００３５】
なお、目次から所望の曲名を選択的に指示するタッチ操作を行うと、目次モードに移行し、対応する楽譜が表示される。目次モードでは、図示はしていないが、表示画面への所定のタッチ操作によって譜めくり動作を行うことができ、例えば、ページ番号ｐｇの右側へのタッチ操作で次ページの楽譜或いは左側へのタッチ操作で前ページの楽譜が表示される。従って、目次モードでは、ユーザは、電子音楽装置ＥＭにおける音楽コンテンツ（再生用曲データ）の再生状況に拘わらず、音楽コンテンツ表示装置ＤＳのディスプレイ画面（表示画面）ＳＣに楽譜を表示させ、表示された楽譜を見ながら、電子音楽装置ＥＭの演奏操作部１１の演奏操作で演奏を行うことができる。
【００３６】
さて、判断部ＤＣは、まず、復調部ＤＭで復調された制御信号Ｃｓから、音声入力部７で受信された信号が所定の受信条件を満たすものであるかどうかを判断する。この受信条件には、（１）制御信号Ｃｓを所定回数Ｎ受信した、（２）複数回にわたる制御信号Ｃｓの受信の間隔が１秒以内である、等々、この音楽コンテンツ表示装置ＤＳが従属する対象となる電子音楽装置ＥＭと通信可能な状態（制御信号Ｃｓを受けることができる状態）であることを確認することができる任意の条件を定めることができるが、以下に説明する例では、（１）の受信条件を採用する。この場合、例えば、Ｎ＝１に設定すると、制御信号Ｃｓを初めて受信したときに受信条件が満たされ、Ｎ＝１０に設定すると、制御信号Ｃｓを合計して或いは連続して１０回受信したときに受信条件が満たされることになる。なお、制御信号Ｃｓを受信したことは、復調部ＤＭにおける制御信号Ｃｓの出力状態を監視すればよいが、図４及び図５に破線で示すように、情報抽出部ＥＸにおけるヘッダー情報Ｈｄの抽出状態を監視するようにしてもよい。
【００３７】
そして、この受信条件が満足されると、音楽コンテンツ表示装置ＤＳは音楽コンテンツ追加処理を行う。この音楽コンテンツ表示装置ＤＳは、音楽コンテンツ表示プログラムを音楽コンテンツ（楽譜データ）と共に情報処理装置にインストールすることにより、音楽コンテンツ表示装置としての機能を実現するものであるが、この音楽コンテンツ追加処理は、音楽コンテンツ格納部ＳＴｄにおける音楽コンテンツ（楽譜データ）の当初の格納状態の違いに応じて、次のような第１機能或いは第２機能を実行する。
（１）第１機能：電子音楽装置ＥＭに予め用意された利用可能な音楽コンテンツ（再生用曲データ）に対応する音楽コンテンツ（楽譜データ）であるにも拘わらず、音楽コンテンツ表示装置ＤＳの音楽コンテンツ格納部ＳＴｄに予め格納されていない音楽コンテンツ（楽譜データ）については、「追加の音楽コンテンツ」としてサーバＳＶから取得し、利用可能な音楽コンテンツ（楽譜データ）を音楽コンテンツ格納部ＳＴｄに追加する。
（２）第２機能：電子音楽装置ＥＭに予め用意された利用可能な音楽コンテンツ（再生用曲データ）に対応する音楽コンテンツ（楽譜データ）であり、音楽コンテンツ表示装置ＤＳの音楽コンテンツ格納部ＳＴｄに予め格納されているにも拘わらず、「利用不可能状態」である音楽コンテンツ（楽譜データ）については、「利用可能状態」に更新して「追加の音楽コンテンツ」とし、利用可能な音楽コンテンツ（楽譜データ）を追加する。
【００３８】
＜音楽コンテンツ表示装置の第１機能＞
この音楽コンテンツ表示装置ＤＳは、第１機能を実行する場合、図４に示すように、さらに追加取得部ＡＤ及び通信部ＣＭを備え、追加取得部ＡＤは主としてＣＰＵ１により実現され、通信部ＣＭは主として通信Ｉ／Ｆ８によって実現される。
【００３９】
第１機能が実行される場合、電子音楽装置ＥＭの音楽コンテンツ格納部ＳＴｅには、ｐ個の利用（再生）可能な音楽コンテンツ（再生用曲データ）が予め用意されているのに対して、音楽コンテンツ表示装置ＤＳの音楽コンテンツ格納部ＳＴｄには、プリセット音楽コンテンツ（楽譜データ）として、ｐ個より少ないｒ個（ｐ＞ｒ≧０）の利用（表示）可能な音楽コンテンツ（楽譜データ）しか予め用意されていない。ここで、電子音楽装置ＥＭ側から、音楽コンテンツ（曲データ）の再生に従って、制御信号Ｃｓを含む音声信号Ａｓが音楽コンテンツ表示装置ＤＳに発信されると、音楽コンテンツ表示装置ＤＳは、判断部ＤＣで、受信した音声信号Ａｓについて受信条件を調べ、電子音楽装置ＥＭから制御信号Ｃｓを受信可能な状態であることを確認すると、音楽コンテンツ追加処理Ａを行う。音楽コンテンツ追加処理Ａでは、追加取得部ＡＤにより、電子音楽装置ＥＭに予め用意された利用可能な音楽コンテンツ（曲データ）に対応する利用可能な音楽コンテンツ（楽譜データ）であって、プリセット音楽コンテンツ（楽譜データ）ではない「ｐ−ｒ」個の利用（表示）可能な音楽コンテンツ（楽譜データ）が、サーバＳＶから通信部ＣＭを介して取得され、音楽コンテンツ格納部ＳＴｄに追加される。このように音楽コンテンツ格納部ＳＴｄに追加される「ｐ−ｒ」個の音楽コンテンツ（楽譜データ）が「追加の音楽コンテンツ（楽譜データ）」と呼ばれる。
【００４０】
つまり、判断部ＤＣは、音楽コンテンツ追加取得が可能かの判断を行い、前述の受信条件が満足されたことを確認したときは、追加取得部ＡＤに対して、上述した追加の音楽コンテンツをサーバＳＶから取得することを許可し、これを指示する。追加取得部ＡＤは、これに応じて、取得指示された追加の音楽コンテンツ（楽譜データ）を、サーバＳＶから通信部ＣＭを通じて取得し、音楽コンテンツ格納部ＳＴｄに追加記憶する。
【００４１】
このような音楽コンテンツ表示装置の第１機能を要約すれば次のとおりである：音楽コンテンツ表示装置ＤＳは、電子音楽装置ＥＭが音楽コンテンツ（曲データ）を再生するのに従属して楽譜データを表示するが、当初は、電子音楽装置ＥＭに予め用意されたｐ個の音楽コンテンツ（再生用曲データ）よりも少ないｒ個（ｐ＞ｒ≧０）のプリセット音楽コンテンツ（楽譜データ）しか用意されていない。この音楽コンテンツ表示装置ＤＳは、まず、電子音楽装置ＥＭからの音声信号Ａｓを受信し（７，ＤＭ）、受信した音声信号Ａｓに含まれる制御信号（譜めくり信号）Ｃｓを受信可能な状態である（受信条件を満たす）ことを確認すると、電子音楽装置ＥＭに用意されているｐ個の音楽コンテンツ（再生用曲データ）に対応しているがプリセット音楽コンテンツ（楽譜データ）ではない音楽コンテンツ（楽譜データ）を「追加の音楽コンテンツ」とし、その取得を許可する（ＤＣ）。これに応じて、許可された追加の音楽コンテンツ（楽譜データ）をサーバＳＶから取得し、音楽コンテンツ格納部ＳＴｄに追加記憶する（ＡＤ）。そして、制御信号（譜めくり信号）Ｃｓから抽出された曲ＩＤ情報Ｓｉ及び位置情報（小節番号）Ｂｎを参照し（ＥＸ）、曲ＩＤ情報Ｓｉに対応する音楽コンテンツ（楽譜データ）を音楽コンテンツ格納部ＳＴｄから読み出し、位置情報（小節番号）Ｂｎに対応する楽譜をディスプレイ画面ＳＣに表示する（ＣＴｄ，６）。
【００４２】
＜音楽コンテンツ表示装置の第２機能＞
この音楽コンテンツ表示装置ＤＳは、第２機能を実行する場合、図５の機能ブロック図に示すように、判断部ＤＣにより音楽コンテンツ追加処理Ｂを行い、音楽コンテンツ格納部ＳＴｄに当初から格納されている音楽コンテンツ（楽譜データ）の状態を更新する。
【００４３】
第２機能が実行される場合、電子音楽装置ＥＭの音楽コンテンツ格納部ＳＴｅに予め用意されているｐ個の利用（再生）可能な音楽コンテンツ（再生用曲データ）に対応して、この音楽コンテンツ表示装置ＤＳの音楽コンテンツ格納部ＳＴｄにもｐ個の音楽コンテンツ（楽譜データ）が用意され、用意されたｐ個の音楽コンテンツ（楽譜データ）のうちｓ個（ｐ＞ｓ≧０）の音楽コンテンツ（楽譜データ）は音楽コンテンツ表示装置ＤＳで利用（表示）可能に設定されているが、残りの「ｐ−ｓ」個の音楽コンテンツ（楽譜データ）は利用（表示）不可能に設定されている。ここで、電子音楽装置ＥＭ側から、音楽コンテンツ（曲データ）の再生に従い、制御信号Ｃｓを含む音声信号Ａｓが音楽コンテンツ表示装置ＤＳに発信されると、音楽コンテンツ表示装置ＤＳは、判断部ＤＣで、受信した音声信号Ａｓについて受信条件を調べ、電子音楽装置ＥＭから制御信号Ｃｓを受信可能な状態であることを確認すると、音楽コンテンツ追加処理Ｂを行う。音楽コンテンツ追加処理Ｂでは、判断部ＤＣにより、音楽コンテンツ格納部ＳＴｄに記憶されている音楽コンテンツ（楽譜データ）が利用可能状態か利用不可能状態かを判別し、利用不可能状態であることが確認された「ｐ−ｓ」個全ての音楽コンテンツ（楽譜データ）を利用（表示）可能状態に更新する。このように利用可能状態に更新された「ｐ−ｓ」個の音楽コンテンツ（楽譜データ）は、利用可能な「追加の音楽コンテンツ（楽譜データ）」ということができる。
【００４４】
つまり、判断部ＤＣは、利用可能化ができるかの判断を行い、前述の受信条件が満足されたことを確認したときは、音楽コンテンツ格納部ＳＴｄに記憶されている音楽コンテンツ（楽譜データ）が利用可能状態か利用不可能状態かを判別し、利用不可能状態であると確認した全ての音楽コンテンツ（楽譜データ）を利用可能状態に更新する。これにより、新たに利用（表示）可能になった音楽コンテンツ（楽譜データ）が音楽コンテンツ格納部ＳＴｄに追加されたことになる。
【００４５】
このような音楽コンテンツ表示装置の第２機能を要約すれば次のとおりである：音楽コンテンツ表示装置ＤＳは、電子音楽装置ＥＭが音楽コンテンツ（曲データ）を再生するのに従属して楽譜データを表示するために、対応する音楽コンテンツ（楽譜データ）が音楽コンテンツ格納部ＳＴｄに用意されているが、当初は、電子音楽装置ＥＭに予め用意されたｐ個の音楽コンテンツ（再生用曲データ）よりも少ないｓ個（ｐ＞ｓ≧０）の音楽コンテンツ（楽譜データ）が利用可能に設定されており、残りの「ｐ−ｓ」個の音楽コンテンツ（楽譜データ）は利用不可能に設定されている。この音楽コンテンツ表示装置ＤＳは、まず、電子音楽装置ＥＭから音声信号Ａｓを受信し（７，ＤＭ）、受信した音声信号Ａｓに含まれる制御信号（譜めくり信号）Ｃｓを受信可能な状態である（受信条件を満たす）ことを確認すると、残りの「ｐ−ｓ」個の音楽コンテンツ（楽譜データ）を全て利用不可能から利用可能の状態に更新する（ＤＣ）。そして、制御信号（譜めくり信号）Ｃｓから抽出された曲ＩＤ情報Ｓｉ及び位置情報（小節番号）Ｂｎを参照し（ＥＸ）、曲ＩＤ情報Ｓｉに対応する音楽コンテンツ（楽譜データ）を音楽コンテンツ格納部ＳＴｄから読み出し、位置情報（小節番号）Ｂｎに対応する楽譜をディスプレイ画面ＳＣに表示する（ＣＴｄ，６）。
【００４６】
〔動作例〕
図７〜図１１は、この発明の一実施例による音楽コンテンツ表示処理のフローチャートを示す。なお、図９のステップＰ１ブロック内右上の「※１」は、第２機能を実行する場合は省略可能であることを示し、図９のステップＰ２及び図１０のステップＱ３，Ｑ５のブロック内右上の「※２」は、第１機能を実行する場合は省略可能であることを示す。
【００４７】
図７において、この音楽コンテンツ表示装置ＤＳの電源をオンするか或いは音楽コンテンツ表示処理プログラムを起動し、音楽コンテンツ表示処理がスタートすると、ＣＰＵ１は、まず、ステップＳ１で、（１）予め定められた所定の初期画面、或いは、（２）デフォルト曲か前回の音楽コンテンツ表示処理で最後に表示していた曲の楽譜（音楽コンテンツ）をディスプレイ画面ＳＣに表示する。次のステップＳ２では、変数「現在の曲ＩＤ」の値を、（１）予め定められた所定の値（曲ＩＤ情報Ｓｉに存在しない値、例えば「−」：初期画面表示の場合）、或いは、（２）表示されている楽譜に対応する曲の曲ＩＤ情報Ｓｉとし、更に次のステップＳ３で初期設定を行う。ここで、電子音楽装置ＥＭに用意されている音楽コンテンツ（曲データ）の曲ＩＤと、これに対応する音楽コンテンツ（楽譜データ）の曲ＩＤとが異なる場合、どちらの曲ＩＤを使って表示制御を行ってもよい。「現在の曲ＩＤ」は、表示すべき楽譜を示す変数である。また、ステップＳ３の初期設定では、例えば、譜めくり信号受信カウントを「０」に設定し、目次モードをオフに設定し、その後、ステップＳ４に進む。
【００４８】
ステップＳ４では、終了操作があったか否かを判定し、終了操作がないときは（Ｓ４＝ＮＯ）ステップＳ５に進んで、譜めくり信号Ｃｓを受信したか否かを判定する。
【００４９】
ステップＳ５で譜めくり信号Ｃｓを受信したと判定したときは（Ｓ５＝ＹＥＳ）、ステップＳ６に進み、追加の音楽コンテンツを取得済みか否かを判定する。この場合、追加の音楽コンテンツを取得したときに（Ｓ９：図８）コンテンツ取得済みフラグを立てるようにしておき、このフラグを参照することによりこの取得済み判定を行うことができる。或いは、音楽コンテンツ格納部ＳＴｄの格納状態を参照して判定する方法でもよい。ここで、追加の音楽コンテンツを取得済みでないときは（Ｓ６＝ＮＯ）、ステップＳ７に進み、譜めくり信号受信カウントの値を１プラスし、更にステップＳ８で、譜めくり信号受信カウントは所定回数Ｎ（Ｎ：１以上の整数）以上であるか否かを判定する。ステップＳ７，Ｓ８におけるカウント値の加算及び判定は、譜めくり信号Ｃｓを所定回数Ｎ受信すると追加取得を行う判定ルールを設定した場合に行われ、他の判定ルールを設定した場合は、設定された判定ルールに則した処理が行われる〔判定ルールの設定：Ｓ１８（図８）〕。ここで、該カウントが回数Ｎ以上のときは（Ｓ８＝ＹＥＳ）ステップＳ９（図８）に進んで図９に示される「音楽コンテンツ追加処理」を行う。
【００５０】
この音楽コンテンツ追加処理（図９参照）では、第１機能のみを実行する場合、譜めくり信号受信カウントが回数Ｎ以上と判定したときに（Ｓ８＝ＹＥＳ）サーバＳＶからの追加の音楽コンテンツの取得を許可（決定）し、ステップＰ１において、サーバＳＶより追加の音楽コンテンツをダウンロードし音楽コンテンツ格納部ＳＴｄに保存し（音楽コンテンツ追加処理Ａ）、ステップＰ２をスルーする。一方、第２機能のみを実行する場合は、ステップＰ１をスルーし、ステップＰ２において、まず、＜１＞音楽コンテンツ格納部の各音楽コンテンツについて利用可能状態であるか否かを調べ、次に、＜２＞利用不可能状態であれば利用可能状態に更新する（音楽コンテンツ追加処理Ｂ）。そして、ステップＰ１乃至ステップＰ２の処理を終えると、追加の音楽コンテンツが取得済みか否かの判定（Ｓ６：図７）をフラグの参照で行う場合はコンテンツ取得済みフラグをオンにした上で、そうでない場合（フラグの参照でない方法の場合）は直ちに、この音楽コンテンツ追加処理を終了し、音楽コンテンツ表示処理フロー（図８）のステップＳ１０にリターンする。
【００５１】
さて、ステップＳ６（図７）で追加の音楽コンテンツを取得済みであると判定したとき（Ｓ６＝ＹＥＳ）、ステップＳ８で譜めくり信号受信カウントの値が回数Ｎ未満であると判定したとき（Ｓ８＝ＮＯ）、或いは、ステップＳ９の音楽コンテンツ追加処理（図８）を終えたときは、ステップＳ１０〜Ｓ１１に進む。まず、ステップＳ１０では譜めくり信号Ｃｓから曲ＩＤ情報Ｓｉを抽出し、次のステップＳ１１では譜めくり信号Ｃｓから位置情報Ｂｎを抽出する。ここで、位置情報Ｂｎには、例えば、小節番号やページなどが使用される。位置情報Ｂｎを抽出した後はステップＳ１２に進む。
【００５２】
ステップＳ１２では、目次モードはオフに設定されているか否かを判定し、オフに設定されているときは（Ｓ１２＝ＹＥＳ）、ステップＳ１３において、ステップＳ１０で抽出された曲ＩＤ情報Ｓｉの値が現在の曲ＩＤと一致するか否かを判定する。ここで、曲ＩＤ情報Ｓｉが現在の曲ＩＤに一致しないときは（Ｓ１３＝ＮＯ）ステップＳ１４に進んで、図１０に示される「音楽コンテンツ読出し表示処理」を行う。
【００５３】
この音楽コンテンツ読出し表示処理（図１０参照）では、最初のステップＱ１で、音楽コンテンツ格納部ＳＴｄから、ステップＳ１０（図８）で抽出された曲ＩＤ情報Ｓｉに対応する音楽コンテンツ（楽譜データ）を検索し、次のステップＱ２で、対応する音楽コンテンツ（楽譜データ）が格納されているか否かを判定する。ここで、対応する音楽コンテンツが格納されているときは（Ｑ２＝ＹＥＳ）、ステップＱ３で、対応する音楽コンテンツ（楽譜データ）は利用可能状態であるか否かを判定する。ここで、利用可能状態であるときは（Ｑ３＝ＹＥＳ）、ステップＱ４にて、同音楽コンテンツ（楽譜データ）を読み出し、ステップＳ１１（図８）で抽出された位置情報Ｂｎに合わせて楽譜を画面ＳＣに表示すると共に、現在の曲ＩＤを、当該音楽コンテンツ（楽譜データ）に対応する曲ＩＤとする。また、利用不可能状態であるときは（Ｑ３＝ＮＯ）、ステップＱ５にて、同音楽コンテンツ（楽譜データ）は利用することができない旨のメッセージを画面ＳＣに表示する。
【００５４】
なお、第１機能のみを実行する場合は、ステップＱ３をスルーして直ちにステップＱ４に進み、ステップＱ５の処理は行わない。すなわち、対応する音楽コンテンツが格納されているときには（Ｑ２＝ＹＥＳ）、直ちに、ステップＱ４の動作をする。また、ステップＱ２で、対応する音楽コンテンツが格納されていないときは（Ｑ２＝ＮＯ）、ステップＱ６に進み、対応する音楽コンテンツ（楽譜データ）が用意されていない旨のメッセージを画面ＳＣに表示する。そして、ステップＱ４〜Ｑ６の何れかの処理を終えると、この音楽コンテンツ読出し表示処理を終了し、音楽コンテンツ表示処理フロー（図８）のステップＳ１６（図８）にリターンする。
【００５５】
図８に戻り、ステップＳ１３において、ステップＳ１０で抽出された曲ＩＤ情報Ｓｉが現在の曲ＩＤに一致していると判定したときは（Ｓ１３＝ＹＥＳ）、ステップＳ１５に進み、画面ＳＣに表示されている楽譜を、ステップＳ１１で抽出された位置情報Ｂｎに応じた表示に更新する。そして、ステップＳ５（図７）で譜めくり信号Ｃｓを受信していないと判定したとき（Ｓ５＝ＮＯ）、ステップＳ１２で目次モードがオンに設定されていると判定したとき（Ｓ１２＝ＮＯ）、或いは、ステップＳ１４，Ｓ１５の何れかの処理を終えたときは、ステップＳ１６に進む。ステップＳ１６では、目次表示の指示〔例えば、目次ボタンｔａ（図６）による〕を受け付けたか否かを判定し、受け付けたときは（Ｓ１６＝ＹＥＳ）、ステップＳ１７に進み、図１１に示される「目次からの表示処理」を行う。
【００５６】
この目次からの表示処理（図１１参照）では、最初のステップＲ１で目次（曲名リスト）をディスプレイ画面ＳＣに表示し、次のステップＲ２で、目次に表示された複数の曲名から所望の曲名を選択し指示する曲名選択指示を受け付けたか否かを判定する。ここで、曲名選択指示を受け付けたときは（Ｒ２＝ＹＥＳ）、ステップＲ３で目次モードをオン（譜めくり信号とは独立した楽譜表示）に設定して目次の表示を閉じて、ステップＲ４に進み、選択された曲名の音楽コンテンツ（楽譜データ）に対応する曲ＩＤ（選択曲の曲ＩＤという）が現在の曲ＩＤと一致するか否かを判定する。ここで、選択曲の曲ＩＤが現在の曲ＩＤに一致しないときは（Ｒ４＝ＮＯ）、ステップＲ５で、音楽コンテンツ格納部ＳＴｄから、曲ＩＤに対応する音楽コンテンツ（楽譜データ）を検索し読み出してその楽譜を表示すると共に、現在の曲ＩＤを選択曲の曲ＩＤとし、その後、この目次からの表示処理を終え、音楽コンテンツ表示処理フローのステップＳ１８（図８）にリターンする。
【００５７】
一方、選択曲の曲ＩＤが現在の曲ＩＤに一致したときは（Ｒ４＝ＹＥＳ）、曲ＩＤに対応する音楽コンテンツ（楽譜データ）による楽譜は既に表示されているので、そのまま、この目次からの表示処理を終え、音楽コンテンツ表示処理フロー（図８）のステップＳ１８（図８）にリターンする。また、ステップＲ２で、曲名選択指示を受け付けなかったときは（Ｒ２＝ＮＯ）、ステップＲ６で、目次を閉じる指示を受け付けたか否かを判定し、目次を閉じる指示を受け付けなかったときは（Ｒ６＝ＮＯ）、ステップＲ２に戻って曲名選択指示の受付けを待つ。ここで、曲名選択指示を受け付けたときは（Ｒ２＝ＹＥＳ）、前述したステップＲ３〜Ｒ５の処理を行うが、曲名選択指示の受付けがなく、目次を閉じる指示を受け付けたときは（Ｒ６＝ＹＥＳ）、ステップＲ７で目次モードをオフにして目次を閉じ、その後、この目次からの表示処理を終え、音楽コンテンツ表示処理フローのステップＳ１８（図８）にリターンする。
【００５８】
再び図８に戻って、ステップＳ１６で目次表示指示の受付けはないと判定したとき（Ｓ１６＝ＮＯ）、或いは、ステップＳ１７の目次からの表示処理を終えたときは、ステップＳ１８でその他の処理を行う。その他の処理では、目次モードのオン／オフ設定切替え（例えば、目次モードをオンにして目次から選んだ楽譜を表示している状態から、目次モードをオフにし、目次を表示せずに譜めくり信号による楽譜表示に切り替えたいときなど）や、表示画面ＳＣの調整、ステップＳ７，Ｓ８における受信条件判定ルールの設定などを行う。その他の処理を終えると、ステップＳ４に戻り、上述したステップＳ４〜Ｓ１８の処理を繰り返す。そして、ステップＳ４で終了操作があったと判定したときに（Ｓ４＝ＹＥＳ）、この音楽コンテンツ表示処理を終了する。
【００５９】
〔種々の実施態様及び補足事項〕
以上、図面を参照しつつこの発明に関する音楽コンテンツ表示システムの一実施形態について説明したが、これに限らず、種々の変更が可能であり、種々の利便性が得られる。例えば、楽譜データの音楽コンテンツについては、１つの曲乃至曲データに対して複数種類（例えば、電子音楽装置ユーザの演奏レベルに対応したもの）用意されていてもよい。音楽コンテンツの楽譜データは、楽譜論理データや楽譜画像データなどの形式があり、楽譜論理データの場合は、表示の際に楽譜論理データを元に楽譜表示データを生成する。
【００６０】
電子音楽装置から受信する音声信号に重畳される制御信号（Ｃｓ）には、最低限、曲ＩＤのように、表示する音楽コンテンツを特定することができる情報が入っていれば表示することができる。さらに、表示対象となる音楽コンテンツの小節位置などの時間情報が含まれていれば、音楽コンテンツの表示の際に活用することができる。また、制御信号が重畳されている音声信号は、既述のように、電子音楽装置（電子楽器）のスピーカから１８ｋＨｚ程度のデジタル信号であり、音楽コンテンツ表示装置の内蔵マイクで受信するが、周波数帯域については、人に通常聴こえなければよく、調整可能であってもよい。
【００６１】
ユーザが、音楽コンテンツ（再生用曲データ）が用意された電子音楽装置（電子楽器）を、音楽コンテンツ表示プログラム及び一部の音楽コンテンツ（楽譜データや曲ガイド用イラストデータ等の表示用曲対応データ）と共に購入した場合、音楽コンテンツ表示装置側で、電子音楽装置で再生される音楽コンテンツ（曲データ）に対応する残りの音楽コンテンツ（表示用曲対応データ）を追加で取得することにより、ユーザが購入した電子音楽装置に内蔵される全ての音楽コンテンツ（曲データ）に対応する音楽コンテンツ（表示用曲対応データ）を表示させることができるという付加価値を向上させることができる。また、音楽コンテンツ（楽譜データなどの表示用曲対応データ）のセキュリティも保証される。
【００６２】
音声信号に重畳されている制御信号は、具体的に、電子音楽装置から所定の時間間隔で（例えば、０．５秒毎に）出力される譜めくり信号であるとした場合、実際の譜めくりを機能させるためだけでなく、音楽コンテンツ（楽譜データ）の追加取得にも使用することができる。また、譜めくり信号に含まれる音楽コンテンツを特定する曲ＩＤ情報が示す音楽コンテンツ（楽譜データ）を表示することができる。さらに、音楽コンテンツ表示装置上におけるユーザの選択操作により選択された音楽コンテンツ（楽譜データ）を表示することもできる。
【００６３】
追加の音楽コンテンツ（表示用曲対応データ）をサーバから取得したときは、ダウンロードしたことを、例えばメッセージで表示するようにしてもよい。また、追加の音楽コンテンツの取得は、許可になった時点で自動的に行われてもよいし、許可になったことのみユーザに表示などで通知して取得指示をユーザに行わせてもよい。その場合は、例えば、ダウンロード実行ボタンを画面に表示し、ユーザが操作したときにダウンロードを行うようにすればよい。
【００６４】
サーバからダウンロードする音楽コンテンツ（表示用曲対応データ）は、音楽コンテンツ表示装置の種類に対応するものが自動的に検索されダウンロードされてもよい。或いは、ダウンロード用の追加の音楽コンテンツがアップされているサイトに自動的に接続されてダウンロードされるような仕組みでもよい。または、入力された音声信号の送信元を認識する手段があれば（例えば、入力された音声信号に送信元の情報が含まれているなど）、送信元に適合する音楽コンテンツのみを自動的に提供するようになっていてもよい。
【００６５】
音楽コンテンツ表示装置が追加の音楽コンテンツ（画像データ）をサーバからダウンロードするのは、譜めくり信号を最初に受信したときでもよいが、譜めくり信号の送信側である電子音楽装置としばらく通信状態であることが最初に確認できたとき（例えば、秒数などの時間や信号の受信回数など）でもよい。何れにしても、ユーザが追加の音楽コンテンツ取得のために意識して信号を送信するのではなく、ユーザが電子音楽装置を普通に使っているとダウンロード許可状態になっていればよい。
【００６６】
音楽コンテンツ表示装置本体及び音楽コンテンツ表示プログラムは、電子音楽装置（電子楽器）の非購入者でも入手することができる場合に対処して、当該音楽コンテンツ表示プログラムには最小限の音楽コンテンツ（表示用曲対応データ）のみを収録しておくことが好ましい。つまり、電子音楽装置（電子楽器）の提供者にとっては、電子音楽装置の購入者には、電子音楽装置に内蔵曲として収録されている音楽コンテンツ（再生用曲データ）に対応する音楽コンテンツ（表示用曲対応データ）は、電子音楽装置の価値の一部として、全て使って欲しいので、電子音楽装置からの制御信号を（１回以上）受信することができた場合に、音楽コンテンツ表示操作ユーザが電子音楽装置の購入者であるとみなし、残りの（追加の）音楽コンテンツ（表示用曲対応データ）がダウンロードされる。
【００６７】
電子音楽装置から受信する信号は、制御信号が重畳された音声信号であると説明したが、例えば、電子音楽装置に内蔵されるデモ曲の再生出力を数小節分受信して分析し、音楽コンテンツ表示装置側でデモ曲であることが認識できたときに追加の音楽コンテンツの取得を許可するようにしてもよい。
【００６８】
第１機能のみを実行する場合及び第２機能のみを実行する場合について具体的に説明したが、各場合の手法を併用することにより、第１機能及び第２機能を併せて実行することができる。例えば、電子音楽装置には、ｐ個の利用可能な音楽コンテンツ（再生用曲データ）が予め用意されているのに対して、音楽コンテンツ表示装置には、ｐ個より少ないｑ個（ｐ＞ｑ）の音楽コンテンツ（表示用曲対応データ）が予め用意されており、ｑ個のうち、ｓ個が利用可能状態に、残りの「ｑ−ｓ」個が利用不可能状態に設定されている場合は、電子音楽装置との通信可能状態を確認したとき、音楽コンテンツ表示装置に予め用意されていない「ｐ−ｑ」個の利用可能な音楽コンテンツ（表示用曲対応データ）をサーバから取得すると共に、利用不可能状態に設定されている「ｑ−ｓ」個の音楽コンテンツ（表示用曲対応データ）を利用可能状態に更新する。
【符号の説明】
【００６９】
ＤＳ，ＥＭ  音楽コンテンツ表示装置及び電子音楽装置（電子楽器）、
Ａｓ，Ｃｓ  音声信号及び制御信号（譜めくり信号）、
Ｓｉ，Ｂｎ  音楽コンテンツ特定情報（曲ＩＤ情報）及び位置情報（小節番号）。
【図１】
2015172776.tif 000003
【図２】
2015172776.tif 000004
【図３】
2015172776.tif 000005
【図４】
2015172776.tif 000006
【図５】
2015172776.tif 000007
【図６】
2015172776.tif 000008
【図７】
2015172776.tif 000009
【図８】
2015172776.tif 000010
【図９】
2015172776.tif 000011
【図１０】
2015172776.tif 000012
【図１１】
2015172776.tif 000013